(57)【要約】【課題】絵馬としての外観を損なうことなく、しかも、祈願文を外部から見られないように覆い隠すことができプライバシーの保護が図られるようにした絵馬ケースを提供する。【解決手段】表面１０１に馬等の図柄１０４が表示され裏面１０５に住所・氏名１０８ａや祈願文１０８ｂが書かれた絵馬１００とほぼ同じ大きさからなり該絵馬１００を収容する絵馬ケースＡであって、一側壁１ａに前記絵馬１００表面の図柄１０４が見える窓開口２が開設され、前記一側壁１ａと対向する他側壁１ｂは前記絵馬１００裏面の住所・氏名１０８ａや祈願文１０８ｂが外部から見られないように不透明に成形され、前記絵馬１００を収容するため周端面に開設された差込口３に該差込口３を閉じる蓋部材１１を係合手段６，１３により取外し不能に装着できるようにした構成からなる。【選択図】図８
2005211326.tif 000002
【特許請求の範囲】
【請求項１】
表面に馬等の図柄が表示され裏面に住所・氏名や祈願文が書かれた絵馬とほぼ同じ大きさからなり該絵馬を収容する絵馬ケースであって、一側壁に前記絵馬表面の図柄が見える窓開口が開設され、前記一側壁と対向する他側壁は前記絵馬裏面の住所・氏名や祈願文が外部から見られないように不透明に成形され、前記絵馬を収容するため周端面に開設された差込口に該差込口を閉じる蓋部材を係合手段により取外し不能に装着できるようにしたことを特徴とする絵馬ケース。
【請求項２】
前記蓋部材は、合成樹脂材により成形されると共にその表面に氏名などの情報を書く情報欄が設けられ、前記差込口に取外し不能に装着した状態では破壊し易いように肉薄部を有する請求項１記載の絵馬ケース。
【発明の詳細な説明】
【技術分野】
【０００１】
本発明は、結婚祈願、受験の合格祈願といった個人祈願文を書いて神仏に祈願するときに用いる絵馬を収納するための絵馬ケースに関するものである。
【背景技術】
【０００２】
通常、絵馬は表面に馬等の図柄が表示され、裏面は祈願文を書くことができるように空欄になっている。そして、絵馬に託して祈願する者がその住所と氏名と共に祈願文をインキペン等でその裏面に書き込み、そのまま境内の所定個所に吊り下げるようにしている。（特許文献１参照。）。
【特許文献１】特開２００２−３２５６７７号公報（第２−３頁、図１）
【発明の開示】
【発明が解決しようとする課題】
【０００３】
しかしながら、前記絵馬には祈願した者の住所と氏名と共に祈願文が書かれており、しかもそのまま誰しもが見られ得る状態で吊り下げられることから、自分で祈願した祈願文が他人に簡単に読まれ知られてしまうことになる。中には、それを悪用する事例もある。本来、誰しも願事は他人に知られたくないのが心情であり、前記のような状態ではプライバシーの保護の面、犯罪防止の面での配慮に欠けるという課題がある。
【０００４】
そこで、本発明は上記課題に鑑みてなされたもので、絵馬としての外観を損なうことなく、しかも、祈願文を外部から見られないように覆い隠すことができ、これによりプライバシーの保護や犯罪の防止が図られる絵馬ケースを提供することを目的とするものである。
【課題を解決するための手段】
【０００５】
かかる目的を達成するため、本発明に係る絵馬ケースは、表面に馬等の図柄が表示され裏面に住所・氏名や祈願文が書かれた絵馬とほぼ同じ大きさからなり該絵馬を収容する絵馬ケースであって、一側壁に前記絵馬表面の図柄が見える窓開口が開設され、前記一側壁と対向する他側壁は前記絵馬裏面の住所・氏名や祈願文が外部から見られないように不透明に成形され、前記絵馬を収容するため周端面に開設された差込口に該差込口を閉じる蓋部材を係合手段により取外し不能に装着できるようにした構成からなる。
【０００６】
また、前記蓋部材は、合成樹脂材により成形されると共にその表面に氏名などの情報を書く情報欄が設けられ、前記差込口に取外し不能に装着した状態では破壊し易いように肉薄部を有することが好ましい。
【発明の効果】
【０００７】
本発明に係る絵馬ケースは、絵馬の裏面に書かれた祈願文が不透明な他側壁により覆い隠され外部から見られないようになっており、しかも、絵馬を収容した後は差込口を閉じる蓋部材が取外し不能に装着されるので、他人の絵馬を絵馬ケースから抜き出して祈願文を見ることはできない。よって、これにより祈願者のプライバシーが十分に保護され、犯罪も未然に防止される。また、絵馬ケースの一側壁に開設される窓開口から絵馬表面の図柄が見えるので、外観上は通常の絵馬と何ら遜色なく見られ、商品価値も高められるという効果が有る。
【０００８】
前記蓋部材は、合成樹脂材により成形されると共にその表面に氏名などの情報を書く情報欄が設けられ、前記差込口に取外し不能に装着した状態では破壊し易いように肉薄部を設けるようにすれば、前記情報欄に祈願者の氏名を書き込むことにより前記蓋部材が所謂封印として機能する。そして、蓋部材が第三者に対し触れてはいけないという牽制の役目を果すと共に破壊されるとつぶさにそのことが判り、その後の対処が迅速にできるという効果がある。
【発明を実施するための最良の形態】
【０００９】
以下、本発明に係る絵馬ケースの実施の形態を図面に基づき説明する。図１は本発明に係る絵馬ケースの斜視図、図２は蓋部材とケース本体の一部との分解斜視図である。
【００１０】
まず、絵馬について説明する。図８（イ）（ロ）に示すように絵馬１００は略方形状の木製板からなり、上端面が中央を起点にして左右に下傾する山形に成形されている。そして、表面１０１に「奉納」、「祈願絵馬」の文字１０２，１０３と共に馬の図柄１０４が描かれている。裏面１０５は祈願文や住所、氏名が書けるように空白になっている。また、上部中央に紐通し孔１０６が設けられ、該紐通し孔１０６に吊り下げるための紐１０７が挿通されている。そして、祈願をする者は前記絵馬１００の裏面１０５に住所、氏名１０８ａと共に祈願文１０８ｂを書き込むことになる。
【００１１】
次に、絵馬ケースＡについて説明する。図１において、１は前記絵馬１００が収容される空洞状のケース本体である。このケース本体１は、ポリプロピレン等の硬質の合成樹脂材により成形されると共に例えば白木色といった目立たない色に着色され不透明であって、前記絵馬１００とほぼ同じ大きさからなる。更に詳しく説明すると、ケース本体１の一側壁である前壁１ａに広い窓開口２が開設され、この窓開口２を通して前記絵馬１００の表面１０１に描かれた図柄１０４が見られるようになっている。また、前壁１ａと対向する他側壁である後壁１ｂが、前記絵馬１００の裏面を覆い隠すことになる。後壁１ｂは、前記したように不透明であることから、絵馬１００の裏面に書かれた住所や氏名１０８ａ、祈願文１０８ｂは外部から見られることはない。前壁１ａと後壁１ｂとは、その間隔が上側では広く下側に向かうに従い漸次狭まるテーパー状に成形されている。これは絵馬１００をケース本体１内に収容し易くするためである。
【００１２】
前記前壁１ａと後壁１ｂの上端縁は共に同じ形状の山形に成形され、ケース本体１の周端面であるその上端縁間が開放されて絵馬１００を収容するための差込口３が開設される。一方、ケース本体１の下端面も開放されているが、両側壁１ｃ，１ｃの下端部の内面にそれぞれ該各側壁１ｃに対してほぼ直角に内側へ折れ曲る受止片４が一体に設けられる。これは収納される絵馬１００の下面を受け止め、該絵馬１００がケース本体１から下方へ抜け落ちないようにするためである。また、これによりケース本体１の下端面に形成される横長の開口５は、水抜き用として利用される。本実施の形態では、前記絵馬１００を受け止める受止片４を両側壁１ｃ，１ｃの下端部に設けるようにしたが、前記横長の開口５の短手方向の適宜位置に横断状に設けるようにしても良い。
【００１３】
そして、図２に示すように前記前壁１ａと後壁１ｂとの上端縁であって一方の傾斜部１ｄの各前面と後面に、それぞれ線対称となるように位置させて後記する蓋部材１１を装着するための係合手段としての被係合部６が設けられている。この被係合部６は、傾斜部１２に沿って頂部から裾部へ進むにつれ第１畝部７ａ、第１平坦部８ａ、第２畝部７ｂ、第２平坦部８ｂ、第３畝部７ｃ、第３平坦部８ｃ、第４畝部７ｄが所定の長さずつこの順に並んで設けられている。第１乃至第４畝部７ａ〜７ｄは、いずれも断面が蒲鉾状に外側へ突出して成形され、頂部側の端面が傾斜部１ｄに対してほぼ直角をなす平端面に成形されると共に裾部は同方向に向かうに従い窄まるようになっている。その内、前記各第４畝部７ｄの下方には前記傾斜部１ｄと平行をなしかつ一端が開放する切込み９が設けられている。これは、第４畝部７ｄ，７ｄ部位に弾性を持たせ、後記する蓋部材１１の係合片部１５が係合し易くするためである。また、後壁１ｂ側の第１平坦部８ａと第２平坦部８ｂには前記傾斜部１ｄに沿って軸孔１０が開設されている。
【００１４】
前記差込口３を閉じる蓋部材１１は、例えばポリプロプレン等の硬質の合成樹脂材により成形され、前記ケース本体１の差込口３の長手方向に沿った半分側を覆う長さと幅を有する。すなわち、この蓋部材１１は、前記被係合部６が設けられた差込口３の半分側のみを覆うことになる。そして、蓋部材１１裏面の長手方向に沿った両側縁に前記被係合部６と係合し得る係合手段としての係合部１２が設けられている。この係合部１２を更に詳しく説明すると、蓋部材１１の裏面であって長手方向に沿った両側縁に側辺１３，１３が下方へ垂設され、両側辺１３，１３の内側に互いに線対称となるように位置させて蓋部材１１の一端側から第１抱持部１４ａ、第２抱持部１４ｂ及び係合片部１５がそれぞれ所定の間隔離して設けられている。前記第１・第２抱持部１４ａ，１４ｂは、その先端部が内側へ円弧状に湾曲して伸びており、係合片部１５は断面が方形状に成形されている。また、前記第１・第２抱持部１４ａ，１４ｂにおける蓋部材１１の他端側と同じ側の端面は各側縁に対して直角となるように成形され、係合片部１５における蓋部材１１の他端側と同じ側の端面は各側縁に対して鋭角となるように成形されている。
【００１５】
蓋部材１１の他端縁には各側辺１３と同じ方向へ折れ曲る停止片１６が設けられる。更に、蓋部材１１の裏面でありその長手方向に沿って一端側から他端側まで一対の平行な間隔保持辺１７，１７が突設されている。この両間隔保持辺１７，１７は、側辺１３とほぼ同じ高さを有し、その間隔は前記係合片部１５付近から他端側までの間がそれまでよりも狭く成形される。前記各側辺１３と広幅部分の各間隔保持辺１７との間隔は、その間に前記ケース本体１の前壁１ａ又は後壁１ｂの上端縁が介入して丁度挟まれる程度に設定されている。蓋部材１１の表面には放電シボ加工により氏名などの情報を書く情報欄１８が設けられている。
【００１６】
本発明に係る絵馬ケースＡは上記構成からなり、次に使用方法を説明する。絵馬１００をケース本体１内に収容する前は、蓋部材１１がその一端側を傾斜部１ｄの頂部側に向けた状態で差込口３に取り付けられ、第１・第２抱持部１４ａ，１４ｂがケース本体１の第１・第２平坦部８ａ，８ｂ内に位置し、係合片部１５は第４畝部７ｄの後方に位置している。また、このとき図３に示すように一側方の第１・第２抱持部１４ａ，１４ｂの先端部が各軸孔１０に臨んでおり、例えば蓋部材１１を一方の側辺１３を中心として回動すると、一側方の第１・第２抱持部１４ａ，１４ｂの先端部が各軸孔１０に入り込み蓋部材１１を保持する。
【００１７】
そこで、図４に示すように蓋部材１１を回動させ差込口３を開けた状態で、裏面１０５に個人の住所・氏名１０８ａと共に祈願文１０８ｂを書き込んだ絵馬１００を、その祈願文１０８ｂが書かれた裏面１０５をケース本体１の後壁１ｂ前面に対向位置させるようにして前記差込口３からケース本体１内に収容する。そして、蓋部材１１を回動させて差込口３を閉じ、更に図５の想像線から実線に示すように蓋部材１１を傾斜部１ｄに沿ってその頂部側へスライドさせる。
【００１８】
これにより、図６、図７に示すように両第１・第２抱持部１４ａ，１４ｂが両第１・第２畝部７ａ，７ｂを抱持し、しかも、各係合片部１５が各第３平坦面部８ｃ内に位置してその後端面が各第４畝部７ｄの前端面に係合する。この際、各第４畝部７ｄは弾性が持たせてあることから、その動作がスムーズに行える。また同時に、停止片１６の内面が各第４畝部７ｄの後端に当接して蓋部材１１が停止する。このように、蓋部材１１を一旦スライドさせると、該蓋部材１１は取外し不能に装着されることとなる。絵馬１００をケース本体１に収容した後は、蓋部材１１表面の情報欄１８に祈願者の氏名または自分固有のマーク等の印を書いておく。これは次の理由による。すなわち、通常、祈願文１０８ｂを書き込んだ絵馬１００をケース本体１内に収容し差込口３を蓋部材１１で閉じた状態では、絵馬１００の表面１０１に描かれた図柄１０４しか見ることができず、一旦、境内の所定個所に吊るすと自分のものがどれだか解らなくなってしまう。そこで、自分が祈願した絵馬１００であることが解るように自分の氏名または自分固有のマーク等の印を情報欄１８にインクペンで書いておくことができるようにしている。
【００１９】
差込口３に蓋部材１１を取外し不能に装着した後は、他方側の差込口３から紐１０７を外部へ引き出しておく。この状態では、図５に示すように窓開口２を通して絵馬１００の表面１０１の図柄１０４が見られ、絵馬としての美観が損なわれるようなことはない。また、後壁１ｂは不透明に成形されていることから、図８に示すように後壁１ｂにより祈願文１０８ｂは完全に覆い隠され外部から見ることはできない。しかも、蓋部材１１は、前記したように第１・第２抱持部１４ａ，１４ｂが各第１・第２畝部７ａ，７ｂを抱持し、各係合片部１５の後端面が各第４畝部７ｄの前端面に係合しているので、差込口３を開けることはできず、絵馬１００をケース本体１から引き出すことは難しくなる。
【００２０】
よって、神社の所定位置に絵馬１００が収容される絵馬ケースＡを吊り下げて祈願すれば、その祈願文１０８ｂは他人に見られるようなことはなく、プライバシーの保護が十分に図られ、犯罪の防止にも繋がる。また、絵馬１００とほぼ同じ大きさからなり前壁１ａに絵馬１００の表面１０１の図柄１０４が見える窓開口２を開設してなるので、外観上は通常の絵馬と何ら遜色なく見栄えが良い。
【００２１】
本来、前記蓋部材１１は、容易に破壊されないようにしっかりとした丈夫な構造とする。ただ、情報欄１８に祈願者の氏名または固有のマーク等の印が書けるようにしていることから、この蓋部材１１を封印として機能させることができる。そして、第三者に対して触れてはいけないという牽制の役目を果す。この場合は、前記蓋部材１１の適所に肉薄部を設けたり、全体を比較的薄く成形するなどして破壊され易い構造にしておくことが好ましい。そこで、仮に、他人が蓋部材１１を故意に破壊して絵馬ケースＡから絵馬１００を引き出したとすれば、前記蓋部材１１を元通りに装着することはできず、再使用できないことから不正により絵馬１００を見られたことが簡単に判る。
【００２２】
また、前記のように情報欄１８に自分の氏名または自分固有のマーク等の印を書くことにより、仮に、他人により絵馬ケースＡを破壊して絵馬１００が抜かれ、該絵馬１００に書かれた氏名１０８ａや祈願文１０８ｂが見られた後に、該絵馬１００を他の新しい絵馬ケースＡに収容し、更に、前記情報欄１８に前記氏名、マーク等の印を模した氏名、マーク等の印を書いたとしても、僅かな相違からその判別ができる。よって、これにより自分の書いた絵馬であるか否かという絵馬の識別及び絵馬ケースが付け替えられたか否かの確認が可能となる。
【００２３】
なお、本発明にあっては差込口３の位置をケース本体１における上端面に設けたが、その側端面または下端面に設けるようにしても良い。また、前記ケース本体１に対する蓋部材１１の係合手段６，１２は一例であって、他の構成としても良いこと勿論である。
【図面の簡単な説明】
【００２４】
【図１】本発明に係る絵馬ケースの斜視図。
【図２】蓋部材とケース本体の一部との分解斜視図。
【図３】絵馬ケースの側面断面図。
【図４】絵馬を絵馬ケースに収納する状態を示す斜視図。
【図５】絵馬を収容した絵馬ケースの正面図。
【図６】図５におけるＸ−Ｘ線断面図。
【図７】図６におけるＹ−Ｙ線断面図。
【図８】絵馬を収容した絵馬ケースの裏面斜視図。
【図９】（イ）は絵馬の表から見た斜視図であり、（ロ）は絵馬の裏から見た斜視図。
【符号の説明】
【００２５】
１          ケース本体
１ａ        前壁
１ｂ        後壁
２          窓開口
３          差込口
６          係合手段（被係合部）
１１        蓋部材
１２        係合手段（係合部）
１００      絵馬
１０１      表面
１０４      図柄
１０５      裏面
１０８ａ    住所・氏名
１０８ｂ    祈願文
Ａ          絵馬ケース
【図１】
2005211326.tif 000003
【図２】
2005211326.tif 000004
【図３】
2005211326.tif 000005
【図４】
2005211326.tif 000006
【図５】
2005211326.tif 000007
【図６】
2005211326.tif 000008
【図７】
2005211326.tif 000009
【図８】
2005211326.tif 000010
【図９】
2005211326.tif 000011